(57)【要約】【課題】本発明は、特に頁が多い雑誌の場合でも、見開きした際左右両頁の中央の盛り上がりがなく、この部分の記事等が直ぐに読むこと及び複写することができ、また、左右両頁を見開いた状態を維持することができる雑誌の見開き頁の戻り抑止方法及び見開き頁の戻り抑止された雑誌を提供することを課題とするものである。【解決手段】一端側を糊着して束ねた綴代部分を有する雑誌の表面側綴代部分の近傍により裏面側綴代部分の近傍まで、貫通した線状の切込又は切欠を形成する、又は裏面側近傍まで線状の切込又は切欠を形成することである。【選択図】図１
2006062335.tif 000002
【特許請求の範囲】
【請求項１】
一端側を糊着して束ねた綴代部分を有する雑誌の表面側綴代部分の近傍により裏面側綴代部分の近傍まで、貫通した線状の切込又は切欠を形成する、又は裏面側近傍まで線状の切込又は切欠を形成することを特徴とする雑誌の見開き頁の戻り抑止方法。
【請求項２】
一端側を糊着して束ねた綴代部分を有する雑誌であって、雑誌の表面側の綴代部分の近傍には、雑誌の裏面側まで貫通した線状の切込又は切欠が形成されていることを特徴とする見開き頁の戻り抑止された雑誌。
【請求項３】
前記切込又は切欠が、一本の直線状に形成され又は一定の間隔を有して形成された複数の切込、切欠である請求項１又は２に記載の見開き頁の戻り抑止された雑誌。
【発明の詳細な説明】
【技術分野】
【０００１】本発明は、雑誌を見開きする際に、見開きされた左右両頁、特に両頁の中央の綴代部分を抑えなければ読みにくい雑誌の見開きされた左右両頁の戻りを抑止することができる雑誌の見開き頁の戻り抑止方法及び見開き頁の戻り抑止された雑誌に関するものである。
【背景技術】
【０００２】従来、週刊誌のように中央部が逆Ｕ字の留め具（通称ホッチキス）で係着した雑誌は、見開きすると左右両頁の中央の盛り上がりが少なく手で軽く押さえるだけで容易にその部分に記載されている記事や、掲載されている写真又はグラフ等を見ることができるが、糊により綴代部分を糊着して束ねた雑誌は、見開きすると左右両頁の中央の盛り上がりが大きく、一方の頁が他方の頁側へ重ね合うように戻る特性があり、このため中央側に重なるように記載されている記事等は非常に見にくい。【０００３】また、資料として活用すべく雑誌に記載された記事等を複写する場合は、見開きした中央部分は黒く塗りつぶされたように複写され、記事等が欠けた状態で複写されることとなる。【０００４】そこで、中央の盛り上がり部分を強く手で押さえて記載されている記事等を読んだり見たりし又は複写したりしていたが、頁数の多い雑誌の場合は、充分に中央の盛り上がりを押さえつけることができなく、さらに、頁を押さえている手を離した際に左右の少ない頁数が多い頁数側に直ぐに戻されるという問題は解消することができない。【０００５】そこで、開いた頁が戻される問題に対しては、頁押さえ用の重り（文鎮等）が考えられた。これは、見開きされた左右両頁の一方の頁の上部側、又は左右両頁の中央に重りをのせることで手の代わりに頁押さえ用として使用するものである。
【発明の開示】
【発明が解決しようとする課題】
【０００６】しかしながら、上記のように中央の綴代部分を強く押さえると、綴代部分が離反することとなり、その部分より雑誌が分割され、さらに分割された部分より頁が順次離脱するという欠点があった。【０００７】また、重りを使用する場合も、頁が多い雑誌の場合は直ぐに中央の盛り上がりが復元し、見開いた左右の頁の一方が他方側へ戻り重りはしおりと同じ役割以上を期待することができないという欠点があった。【０００８】さらに、雑誌を野外で見る場合は、重りも同様に野外に持ち運ばなければならず非常に不便であった。【０００９】そこで、本発明は、上記課題を解決することを目標とし、特に頁が多い雑誌の場合でも、見開きした際左右両頁の中央の盛り上がりがなく、この部分の記事等が直ぐに読むこと及び複写することができ、また、左右両頁を見開いた状態を維持することができる雑誌の見開き頁の戻り抑止方法及び見開き頁の戻り抑止された雑誌を提供することを目的とするものである。
【課題を解決するための手段】
【００１０】そして、本発明は上記目的を達成するために、一端側を糊着して束ねた綴代部分を有する雑誌の表面側綴代部分の近傍により裏面側綴代部分の近傍まで、貫通した線状の切込又は切欠を形成する、又は裏面側近傍まで線状の切込又は切欠を形成することを特徴とする。【００１１】また、一端側を糊着して束ねた綴代部分を有する雑誌であって、雑誌の表面側の綴代部分の近傍には、雑誌の裏面側まで貫通した線状の切込又は切欠が形成されていることを特徴とする。【００１２】前記切込又は切欠が、一本の直線状に形成され又は一定の間隔を有して形成された複数の切込、切欠である。
【発明の作用、及び効果】
【００１３】そして、本発明の作用は、雑誌のうち一端側を糊着して束ねた綴代部分を有する雑誌の表面側綴代部分の近傍より裏面側まで貫通した線状の切込又は切欠を形成することにより、雑誌を見開きすると、見開きされた左右両頁は、前記切込又は切欠に沿って左右にそれぞれ綴代部分を残して折れ曲がり、左右両頁の中央が盛り上がることなく雑誌を見開きすることができる。
【００１４】または、雑誌の表面側綴代部分の近傍より裏面側近傍まで線状の切込又は切欠を形成することにより、雑誌を見開きすると、見開きされた左右のうち一方の頁は、前記切込又は切欠に沿って綴代部分を残して折れ曲がり、前記と同様に左右両頁の中央が盛り上がることなく雑誌を見開きすることができる。
【００１５】従って、手で押さえることなく見開きされた左右両頁を読んだり見たりすることができ、また次の頁も容易に見開きすることができる。読み終わった後も、従来どうりに雑誌を綴じて持ち運びすることができる。
【００１６】また、雑誌の種類、大きさ又は頁の多少に応じて、前記切込又は切欠を一定の間隔を有して円形、矩形状に形成することにより、上記と同様に雑誌を見開きすると、見開きされた左右両頁は、前記切込又は切欠に沿って左右に折れ曲がり、左右両頁の中央が盛り上がることなく雑誌を見開きすることができる。
【００１７】さらに、必要な頁を複写する場合も、見開きされた左右両頁が切込又は切欠に沿って左右に又は一方に折れ曲がり、左右両頁の中央の盛り上がりがないために、頁全てを確実に複写することができることとなる。
【００１８】このように、特に複雑な工程を必要とすることなく、左右両頁の中央の盛り上がりを解消することができるので、雑誌に記載された記事、写真の全体を確実に読み取り等ふることができる。
【００１９】また、見開いた左右両頁の中央部分が盛り上がないために、その部分の複写を容易に、且つ正確に行うことができる。
【図面の簡単な説明】
【００２０】
【図１】は、本発明のおける好ましい実施の形態の一例である見開き頁の戻り抑止された雑誌を示す概略説明斜視図である。
【図２】は、雑誌の綴代部分に沿って見開きされた状態を示す概略平面図である。
【図３】は、図２の概略下側側面図である。
【図４】は、雑誌の綴代部分に沿って形成された他実施例としての切欠を示す概略正面図である。
【図５】は、雑誌の綴代部分に沿って形成された他実施例としての切欠を示す概略正面図である。
【図６】は、雑誌の綴代部分に沿って形成された他実施例としての切欠を示す概略正面図である。
【発明の好ましい実施の形態】
【００２１】以下、本発明の見開き頁の戻り抑止された雑誌を図面を用いて詳細に説明する。
【００２２】本発明の雑誌１は、Ａ３、Ａ２等の一定の大きさに形成され、一端側に糊着して束ねた綴代部分２が形成されている。
【００２３】前記綴代部分２には、該綴代部分２の表面側近傍（できるだけ綴代部分２に近接して）で、該綴代部分２の長尺方向に沿って上下方向に一定の長さを残して直線状の切込３が裏面側まで貫通して形成されている。
【００２４】前記切込３は、例えば一定の長さの刃を有する切断装置の刃を雑誌１の表面側綴代部分２の近傍に押し当て押圧することで裏面側まで貫通した一定の長さの切込３を一度に形成することができる。
【００２５】尚、前記切込３は上記の形状等に限定されるものでなく、例えば、表面側より裏面側まで貫通することなく裏面側を一定量残して形成することも可能であり、また一直線状に形成することなく一定の幅５を有して連続した破線状３Ａに形成することも可能であり、または一定の幅を有する直線状の切欠４を形成してもよく、又円形状の連続した切欠４Ａを形成してもよい。要は、雑誌１の頁の多少により、雑誌１の材質により又は雑誌１の大きさにより最適な切込３又は切欠４を選択して形成すればよい。
【００２６】上記構成からなる切込３の形成された雑誌１を使用する場合について説明する。
【００２７】先ず、上記雑誌１に記載された記事を読んだり、写真を見たりする場合は、頁を見開く（右側より順次見開く）と見開かれた頁６は、綴代部分２の近傍に形成された表面側切込３部分により、綴代部分２の上下の連結部分１０のみが容易に折れ曲がり、頁６を右側に見開き、左右の頁６，７の中央８が盛り上がることなく見開きすることができる。
【００２８】この左右の頁６、７の見開きの状態は、手で押さえなくてもその状態を維持することができるために、手がフリーの状態で雑誌１に記載された記事を読んだり、写真を見たりすることが可能である。
【００２９】また、雑誌１の記事等を複写する場合も同様に、左右の頁６，７の見開きの状態のままで、容易に、且つ正確に複写することができる。特に、頁数の多い雑誌１の場合に多く発生する中央８が複写できない（黒く塗りつぶすように複写）部分を無くすことができる。
【００３０】さらに、雑誌１の表面側より裏面側までに形成された切込３であるために雑誌１の強度は現状を維持することができ、また雑誌１が頁毎に分解されることがない。
【００３１】このように、切込３はその形成が容易でありながらその効果は優れたものである。
【図１】
2006062335.tif 000003
【図２】
2006062335.tif 000004
【図３】
2006062335.tif 000005
【図４】
2006062335.tif 000006
【図５】
2006062335.tif 000007
【図６】
2006062335.tif 000008